(57)【要約】【課題】開口面積をより大きく確保しつつ安価で施工性に優れている扉改装ユニットを提供する。【解決手段】建物等に既に取り付けられ既設扉が取り外された既設枠に新たに取り付けられる新設扉と、前記既設枠が有する一対の既設縦枠に各々固定される新設縦枠と、を有し、前記新設縦枠は、前記一対の既設縦枠が各々備える見込み面と対面して当接される板状の見込み板部と、前記一対の既設縦枠が各々備え室外側に臨む見付け面と対面して当接される板状の見付け板部と、を有し、前記新設扉は、ヒンジを介して前記見込み板部に取り付けられている。【選択図】図１
2020029697.tif 000002
【特許請求の範囲】
【請求項１】
建物等に既に取り付けられ既設扉が取り外された既設枠に新たに取り付けられる新設扉と、
前記既設枠が有する一対の既設縦枠に各々固定される新設縦枠と、
を有し、
前記新設縦枠は、前記一対の既設縦枠が各々備える見込み面と対面して当接される板状の見込み板部と、前記一対の既設縦枠が各々備え室外側に臨む見付け面と対面して当接される板状の見付け板部と、
を有し、
前記新設扉は、ヒンジを介して前記見込み板部に取り付けられていることを特徴とする扉改装ユニット。
【請求項２】
請求項１に記載の扉改装ユニットであって、
前記新設扉は、前記一対の既設縦枠に各々取り付けられていることを特徴とする扉改装ユニット。
【請求項３】
請求項１に記載の扉改装ユニットであって、
前記新設扉は、前記一対の既設縦枠のうちの一方に取り付けられており、
前記一対の既設縦枠のうちの他方には、前記新設扉を閉止した状態に係止可能な係止部が取り付けられていることを特徴とする扉改装ユニット。
【請求項４】
請求項１乃至請求項３のいずれかに記載の扉改装ユニットであって、
前記新設縦枠は、前記一対の既設縦枠の下端部同士を繋ぐ既設下枠上に載置されることを特徴とする扉改装ユニット。
【請求項５】
請求項４に記載の扉改装ユニットであって、
前記新設縦枠は、下端が前記既設下枠の上縁と同じ高さに位置し、上端は、前記新設縦枠に取り付けられた前記新設扉の上端より高い位置まで繋がり、
前記既設枠を被っていることを特徴とする扉改装ユニット。
【請求項６】
請求項１乃至請求項５のいずれかに記載の扉改装ユニットであって、
前記新設縦枠は、前記既設枠の内周側の縁に設けられ前記既設扉との間を止水していた止水部材よりも外周側に位置していることを特徴とする扉改装ユニット。
【発明の詳細な説明】
【技術分野】
【０００１】
本発明は、扉改装ユニットに関する。
【背景技術】
【０００２】
従来、建物の開口に既に取り付けられている既設の扉を新たな扉に改装するときには、既設ドア枠を被覆するように新設ドア枠を設置してドア枠改装を行うことが知られている（例えば、特許文献１参照）。具体的は、既設ドア枠（既設枠）の縦枠及び上枠にそれぞれその長手方向全長に亘る金属下地材を設置し、新設ドア枠（新設枠）を既設ドア枠の開口に正面から差込み、金属下地材を介して既設ドア枠に新たな扉を固定している。
【先行技術文献】
【特許文献】
【０００３】
【特許文献１】特開２００１−３２３７３４号公報
【発明の概要】
【発明が解決しようとする課題】
【０００４】
上記のように、既設枠を被覆するように金属下地枠を介して新設枠を固定する場合には、既設枠と新設枠との間に金属下地枠を介在させる為、既設枠により形成されていた開口が金属下地枠と新設枠とにより狭められてしまう。また、新設枠を、既設枠全体を被覆するように上下横枠及び左右の縦枠を固定すると、開口の幅のみならず高さも狭められてしまうという課題がある。
また、既設枠と新設枠との間に金属下地材を備えると、部品点数、取り付け工数が増加し、コストが高騰するとともに、施工性が悪いという課題がある。
本発明は、掛かる課題に鑑みてなされたものであり、その目的とするところは、開口面積をより大きく確保しつつ安価で施工性に優れている扉改装ユニットを提供することにある。
【課題を解決するための手段】
【０００５】
かかる目的を達成するための主たる発明は、建物等に既に取り付けられ既設扉が取り外された既設枠に新たに取り付けられる新設扉と、前記既設枠が有する一対の既設縦枠に各々固定される新設縦枠と、を有し、前記新設縦枠は、前記一対の既設縦枠が各々備える見込み面と対面して当接される板状の見込み板部と、前記一対の既設縦枠が各々備え室外側に臨む見付け面と対面して当接される板状の見付け板部と、を有し、前記新設扉は、ヒンジを介して前記見込み板部に取り付けられていることを特徴とする扉改装ユニットである。
本発明の他の特徴については、本明細書及び添付図面の記載により明らかにする。
【発明の効果】
【０００６】
本発明によれば、開口面積をより大きく確保しつつ安価で施工性に優れている扉改装ユニットを提供することが可能である。
【図面の簡単な説明】
【０００７】
【図１】本実施形態に係る扉改装ユニットを説明するための模式図である。
【図２】既設枠に取り付けられている扉改装ユニットの縦断面図である。
【図３】既設枠に取り付けられている扉改装ユニットの横断面図である。
【図４】戸先ユニットを示す斜視図である。
【図５】吊り元ユニットを示す斜視図である。
【発明を実施するための形態】
【０００８】
以下、本発明の一実施形態に係る扉改装ユニットについて図面を参照して説明する。
本実施形態の扉改装ユニット１は、図１〜図３に示すように、建物に既に取り付けられている枠(以下、既設枠という)２を介して設けられている扉（以下、既設扉という）３を取り外して、新たな扉（以下、新設扉という）１０を取り付けることを可能とする扉改装ユニット１である。
【０００９】
既設扉３が取り外された既設枠２は、既設扉３を支持していたヒンジ、及び、既設扉３が閉じている状態を維持するためのラッチ機構及び施錠機構の受け部材など、既設枠２に取り付けられていたものは既設扉３と共に取り外されている。
【００１０】
左右の既設縦枠２０、２１は、既設扉３の面内方向において当該既設扉３と対向する見込み面２０ａ、２１ａを有する既設見込み壁部２０ｂ、２１ｂと、既設見込み壁部２０ｂ、２１ｂの室外の縁から既設枠２が形成する既設開口２ａの外側に延び、室外に臨む見付け面２０ｃ、２１ｃを有する既設見付け壁部２０ｄ、２１ｄと、を各々有している。また、既設見込み壁部２０ｂ、２１ｂの室内側には、互いに対向する側に突出する既設突出片２０ｅ、２１ｅが設けられており、既設突出片２０ｅ、２１ｅの先端側には、室外側に向かって突出し、閉じた状態の既設扉３の外周部に当接されていた止水部材２０ｆ、２１ｆが設けられている。
【００１１】
既設扉３が取り外された既設枠２に取り付けられる扉改装ユニット１は、新設扉１０と、既設枠２の戸先側の既設縦枠２０に取り付けられる戸先ユニット１１と、既設枠２の吊り元側の既設縦枠２１に取り付けられる吊り元ユニット１２と、を有している。
【００１２】
新設扉１０は、吊り元側が複数のヒンジ１３により回動自在に支持される。ヒンジ１３は、例えば、上方に突出する軸部１３１ａを有するヒンジ下部材１３１と、軸部１３１ａが下方から挿入される筒部１３２ａを有するヒンジ上部材１３２とを有している。新設扉１０には、ヒンジ上部材１３２が取り付けられており、ヒンジ上部材１３２がヒンジ下部材１３１上に載置された状態で新設扉１０が支持される。
【００１３】
新設扉１０の戸先側には、ハンドル操作などにより出没可能なラッチボルト１０ａを備えたラッチ機構１０ｂと、デッドボルト（不図示）を備えた例えばサムターン錠などの施錠機構（不図示）とを備えている。
【００１４】
戸先ユニット１１は、図４に示すように、戸先側の既設縦枠２０に固定され断面がＬ字状をなす新設縦枠としての戸先部材１４と、ラッチボルト１０ａ及びデッドボルトの受け部材１５と、を有している。受け部材１５は、ラッチボルト１０ａまたはデッドボルトが貫通する開孔１５ａを備えた金属製の受け板材１５ｂに、ラッチボルト１０ａ及びデッドボルトが挿入される凹部を有する挿入部１５ｃが既設縦枠２０側に突出させて設けられており、受け板材１５ｂが戸先部材１４に固定されている。
【００１５】
戸先部材１４は、戸先側の既設縦枠２０が有する既設見込み壁部２０ｂの見込み面２０ａと対面して当接される板状の戸先見込み板部１４ａと、見付け面２０ｃを有する既設見付け壁部２０ｄと対面して当接される板状の戸先見付け板部１４ｂと、を有している。
【００１６】
戸先部材１４には、新設扉１０から突出するラッチボルト１０ａ及びデッドボルトの位置に合わせて受け部材１５が戸先見込み板部１４ａそれぞれ取り付けられている。
【００１７】
吊り元ユニット１２は、図５に示すように、吊り元側の既設縦枠２１に固定され断面がＬ字状をなす新設縦枠としての吊り元部材１６と、ヒンジ１３を構成するヒンジ下部材１３１及びヒンジ下部材１３１を固定する裏板材１７と、を有している。
【００１８】
吊り元部材１６は、吊り元側の既設縦枠２１が有する既設見込み壁部２１ｂの見込み面２１ａと対面して当接される板状の吊り元見込み板部１６ａと、見付け面２１ｃを有する既設見付け壁部２１ｄと対面して当接される板状の吊り元見付け板部１６ｂと、を有している。
【００１９】
吊り元部材１６には、新設扉１０が備えるヒンジ上部材１３２を支持するヒンジ下部材１３１が設けられており、ヒンジ下部材１３１は、吊り元見込み板部１６ａの裏側に設けられる裏板材１７とともに吊り元見込み板部１６ａを挟持した状態で裏板材１７にビス止めされている。
【００２０】
戸先部材１４及び吊り元部材１６は、既設枠２が有する既設上枠２２と既設下枠２３との間隔とほぼ同じ長さを有している。本実施形態では、図２に示すように、既設枠２が有する既設下枠２３上に戸先部材１４及び吊り元部材１６が載置された状態で、戸先部材１４及び吊り元部材１６の上端１４ｃ、１６ｃが、取り付けられた新設扉１０の上端１０ｃより僅かに低い位置に位置しているが、戸先部材１４及び吊り元部材１６の上端１４ｃ、１６ｃは、取り付けられた新設扉１０の上端１０ｃよりも高い位置に位置していても構わない。また、戸先見込み板部１４ａ及び吊り元見込み板部１６ａの室内側の縁は、既設突出片２０ｅ、２１ｅよりも室外側に位置している。
【００２１】
扉改装ユニット１の取り付け方法は、まず、戸先部材１４にラッチ機構１０ｂ及び施錠機構の受け部材１５を、吊り元部材１６にヒンジ下部材１３１を、新設扉１０に設けられているラッチボルト１０ａ、デッドボルト、ヒンジ上部材１３２の位置に合わせて取り付けて戸先ユニット１１及び吊り元ユニット１２を組み立てる。
【００２２】
既設扉３と既設枠２用に設けられていたヒンジ及び受け部材とを取り外した既設枠２には、取り付ける戸先ユニット１１及び吊り元ユニット１２に設けられ、戸先見込み板部１４ａ及び吊り元見込み板部１６ａよりも既設枠２側に突出する挿入部１５ｃ及び裏板材１７との干渉を避けるために、干渉する部位を切除する加工を施しておく。
【００２３】
次に、戸先ユニット１１を戸先側の既設縦枠２０に、吊り元ユニット１２を吊り元側の既設縦枠２１に、各々ビスにて取り付ける。このとき、戸先ユニット１１の取り付けは、戸先部材１４の下端を既設下枠２３上に載置するとともに、戸先ユニット１１の戸先見込み板部１４ａを既設見込み壁部２０ｂに当接させ、戸先ユニット１１の戸先見付け板部１４ｂを既設見付け壁部２０ｄに当接させて、戸先ユニット１１を既設縦枠２０にビス止めする。また、吊り元ユニット１２の取り付けは、吊り元部材１６の下端を既設下枠２３上に載置するとともに、吊り元ユニット１２の吊り元見付け板部１６ｂを既設見付け壁部２１ｄに当接させ、吊り元ユニット１２の吊り元見込み板部１６ａを既設見込み壁部２１ｂに当接させて、吊り元ユニット１２を既設縦枠２１にビス止めする。
【００２４】
次に、新設扉１０に設けられているヒンジ上部材１３２の筒部１３２ａに、既設枠２に取り付けられた吊り元ユニット１２のヒンジ下部材１３１の軸部１３１ａを挿通させて、新設扉１０を吊り元側の既設縦枠２１に支持させて、新設扉１０の取り付けが完了する。
【００２５】
本実施形態の扉改装ユニット１によれば、吊り元側の既設縦枠２１に取り付けられる吊り元ユニット１２のヒンジ１３を介して新設扉１０が固定されるので、建物の既設扉３が設けられていた位置とほぼ同じ位置に新設扉１０を開閉自在に設けることが可能である。また、戸先側の既設縦枠２０には新設扉１０の戸先に設けられているラッチ機構１０ｂのラッチボルト１０ａ及び施錠機構のデッドボルトが係合する受け部材１５を備えた戸先ユニット１１が取り付けられているので、新設扉１０を閉じた状態に保持することが可能である。ここで、受け部材１５が、新設扉１０を閉止した状態に係止可能な係止部に相当する。
【００２６】
また、戸先ユニット１１及び吊り元ユニット１２は、各々既設縦枠２０、２１が備える見込み面２０ｂ、２１ｂに板状の戸先見込み板部１４ａ及び吊り元見込み板部１６ａが当接され、戸先ユニット１１の戸先見込み板部１４ａに受け部材１５が、吊り元ユニット１２の吊り元見込み板部１６ａにヒンジ１３が、それぞれ設けられている。このため、戸先ユニット１１の見込み板部１４ａと吊り元ユニット１２の見込み板部１６ａとの間を新設開口とすることが可能であり、既設枠２により形成される既設開口２ａとほぼ同じ幅の新設開口を確保することが可能である。また、既設枠２が備える既設上枠２２と既設下枠２３には、何ら取り付けられないので、既設開口２ａの高さも狭められない。このため、新設開口をより広く確保しつつ新設扉１０を設けることが可能である。
【００２７】
また、既設縦枠２０、２１に戸先ユニット１１及び吊り元ユニット１２を直接取り付けるだけなので、簡単な作業により新設扉１０に付け替えることが可能であり、また、既設縦枠２０、２１の既設見込み壁部２０ｂ、２１ｂに戸先ユニット１１及び吊り元ユニット１２が取り付けられるので、部品点数、及び、取り付け工数を抑えることが可能であり、コストをも抑えことが可能である。このため、開口面積をより大きく確保しつつ安価で施工性に優れた扉改装ユニットを提供することが可能である。
【００２８】
また、戸先ユニット１１及び吊り元ユニット１２は、各々既設縦枠２０、２１が備える既設見込み壁部２０ｂ、２１ｂと対面して当接される板状の戸先見込み板部１４ａ及び吊り元見込み板部１６ａと、既設縦枠２０、２１が備え既設見付け壁部２０ｄ、２１ｄと対面して当接される板状の戸先見付け板部１４ｂ及び吊り元見付け板部１６ｂとを有しているので、既設枠２が有する既設見込み壁部２０ｂ、２１ｂ及び既設見付け壁部２０ｄ、２０ｄに当接させて容易に位置決めすることが可能である。
【００２９】
また、戸先ユニット１１及び吊り元ユニット１２は、既設縦枠２０、２１の下端部同士を繋ぐ既設下枠２３上に載置することにより、上下方向においても容易に位置決めすることが可能である。
【００３０】
また、戸先部材１４及び吊り元部材１６は、既設枠２が有する既設上枠２２と既設下枠２３との間隔とほぼ同じ長さを有しているので、既設縦枠２０、２１はほぼ全長に亘って既設見付け壁部２０ｄ、２１ｄが戸先見付け板部１４ｂ及び吊り元見付け板部１６ｂに被われている。このため新設扉１０により扉が新しくなるばかりでなく新設扉１０を支持する枠の意匠性をも高めることが可能である。
【００３１】
また、戸先ユニット１１及び吊り元ユニット１２が既設縦枠２０、２１に取り付けられた後にも、戸先ユニット１１及び吊り元ユニット１２よりも内周側に設けられている既設縦枠２０、２１の止水部材２０ｆ、２１ｆが位置している。このため、吊り元ユニット１２を介して取り付けられた新設扉１０の周囲を既設枠２に設けられている止水部材２０ｆ、２１ｆにより止水することが可能である。このため、既設枠２に設けられていた既設扉３と同様の止水性を確保することが可能である。
【００３２】
上記実施形態においては、戸先ユニット１１の戸先部材１４、及び、吊り元ユニット１２の吊り元部材１６を断面がＬ字状をなす板状の部材としたが、これに限るものではない。例えば、吊り元部材や戸先部材が、吊り元見込み板部及び戸先見込み板部と既設見込み壁部との間に中空部や空間を備えている形態であっても構わない。この場合には、吊り元見込み板部及び戸先見込み板部よりも既設枠側に裏板や受け部材が突出していたとしても、中空部や空間内に納まれば既設縦枠への加工が必要ないので、より施工性に優れている。
【００３３】
また、上記実施形態においては、戸先部材１４、及び、吊り元部材１６が、既設枠２が有する既設上枠２２と既設下枠２３との間隔とほぼ同じ長さを有している例について説明したが、これに限るものではない。たとえば、戸先部材は、受け部材を戸先側の既設縦枠２０に固定可能であり、吊り元部材はヒンジ下部材を吊り元側の既設縦枠に固定可能であれば、長さは短くとも構わず、また、受け部材毎、または、ヒンジ下部材毎に既設縦枠に固定する部材であっても構わない。
【００３４】
上記実施形態においては、扉改装ユニット１が、既設枠２の戸先側の既設縦枠２０に取り付けられる戸先ユニット１１と、既設枠２の吊り元側の既設縦枠２１に取り付けられる吊り元ユニット１２と、を有している例について説明したが、これに限るものではない。例えば、既設枠２が形成する既設開口２ａに、２枚の新設扉を設ける場合には、一対の既設縦枠に各々吊り元ユニット１２を取り付けて、各々の吊り元ユニット１２が有するヒンジ１３を介して新設扉が設けられる構成であっても構わない。
【００３５】
また、上記実施形態においては、戸先ユニット１１、及び、吊り元ユニット１２を既設縦枠２０、２１にビス止めする例について説明したが、これに限らず、例えば、両面テープ等により接着しても構わない。
【００３６】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００３７】
本実施形態には、少なくとも以下の発明が含まれる。
建物等に既に取り付けられ既設扉が取り外された既設枠に新たに取り付けられる新設扉と、前記既設枠が有する一対の既設縦枠に各々固定される新設縦枠と、を有し、前記新設縦枠は、前記一対の既設縦枠が各々備える見込み面と対面して当接される板状の見込み板部と、前記一対の既設縦枠が各々備え室外側に臨む見付け面と対面して当接される板状の見付け板部と、を有し、前記新設扉は、ヒンジを介して前記見込み板部に取り付けられていることを特徴とする扉改装ユニットである。
【００３８】
このような扉改装ユニットによれば、一対の既設縦枠に取り付けられる新設縦枠にヒンジを介して新設扉が固定されるので、既設扉が設けられていた位置とほぼ同じ位置に新設扉を開閉自在に設けることが可能である。
【００３９】
また、新設縦枠は、各々既設縦枠が備える見込み面に板状の見込み板部が当接され、見込み板部にヒンジが設けられている。このため、既設枠により形成される開口とほぼ同じ幅の開口を確保することが可能である。また、既設枠が備える上下の枠には、何ら取り付けられないので、開口の高さも狭められない。このため、開口をより広く確保しつつ新設扉を設けることが可能である。
【００４０】
また、既設縦枠に新設縦枠を直接取り付けるだけなので、簡単な作業により新設扉に付け替えることが可能であり、また、既設縦枠の見込み面に新設縦枠が取り付けられるので、部品点数、及び、取り付け工数を抑えることが可能であり、コストをも抑えことが可能である。
このため、開口面積をより大きく確保しつつ安価で施工性に優れた扉改装ユニットを提供することが可能である。
【００４１】
また、新設縦枠は、各々既設縦枠が備える見込み面と対面して当接される板状の見込み板部と、一対の既設縦枠が備え室外側に臨む見付け面と対面して当接される板状の見付け板部とを有しているので、既設枠が有する見込み面及び見付け面に当接させて容易に位置決めすることが可能である。
【００４２】
かかる扉改装ユニットであって、前記新設扉は、前記一対の既設縦枠に各々取り付けられていることを特徴とする。
このような扉改装ユニットによれば、一対の既設縦枠に各々に新設扉が取り付けられているので、既設枠の内側に２枚の新設扉、例えば、親子扉を備えることも可能である。
【００４３】
かかる扉改装ユニットであって、前記新設扉は、前記一対の既設縦枠のうちの一方に取り付けられており、前記一対の既設縦枠のうちの他方には、前記新設扉を閉止した状態に係止可能な係止部が取り付けられていることを特徴とする。
このような扉改装ユニットによれば、一対の既設縦枠に取り付けられる新設縦枠に新設扉を、閉止した状態に係止可能な係止部が取り付けられているので、既設扉が設けられていた位置とほぼ同じ位置に設けられた新設扉が閉じている状態を保持することが可能である。また、係止部が取り付けられる新設縦枠も、既設縦枠が備える見込み面に板状の見込み板部が当接され、見込み板部に係止部が設けられている。このため、既設枠により形成される開口とほぼ同じ幅の開口を確保することが可能である。また、既設枠が備える上下の枠には、何ら取り付けられないので、開口の高さも狭められない。このため、開口をより広く確保しつつ新設扉を設けることが可能である。
【００４４】
また、係止部が取り付けられる新設縦枠も、既設縦枠に直接取り付けるだけなので、簡単な作業により新設扉に付け替えることが可能であり、また、既設縦枠の見込み面に新設縦枠が取り付けられるので、部品点数、及び、取り付け工数を抑えることが可能であり、コストをも抑えことが可能である。
このため、開口面積をより大きく確保しつつ安価で施工性に優れた扉改装ユニットを提供することが可能である。
【００４５】
また、係止部が取り付けられる新設縦枠も、各々既設縦枠が備える見込み面と対面して当接される板状の見込み板部と、一対の既設縦枠が備え室外側に臨む見付け面と対面して当接される板状の見付け板部とを有しているので、既設枠が有する見込み面及び見付け面に当接させて容易に位置決めすることが可能である。
【００４６】
かかる扉改装ユニットであって、前記新設縦枠は、前記一対の既設縦枠の下端部同士を繋ぐ既設下枠上に載置されることを特徴とする。
【００４７】
このような扉改装ユニットによれば、新設縦枠は、一対の既設縦枠の下端部同士を繋ぐ既設下枠上に載置されることにより、上下方向においても容易に位置決めすることが可能である。
【００４８】
かかる扉改装ユニットであって、前記新設縦枠は、下端が前記既設下枠の上縁と同じ高さに位置し、上端は、前記新設縦枠に取り付けられた前記新設扉の上端より高い位置まで繋がり、前記既設枠を被っていることを特徴とする。
【００４９】
このような扉改装ユニットによれば、新設縦枠は、既設下枠の上縁と同じ高さから新設縦枠に取り付けられた新設扉の上端より高い位置まで繋がって既設枠を被っているので、既設縦枠はほぼ全長に亘って見付け板部に被われている。このため新設扉により扉が新しくなるばかりでなく新設扉を支持する枠の意匠性も高めることが可能である。
【００５０】
かかる扉改装ユニットであって、前記新設縦枠は、前記既設枠の内周側の縁に設けられ前記既設扉との間を止水していた止水部材よりも外周側に位置していることを特徴とする。
【００５１】
このような扉改装ユニットによれば、新設縦枠が既設縦枠に取り付けられた後にも、新設縦枠よりも内周側に、既設枠に設けられて既設扉の周囲を止水する止水部材が位置している。このため、新設縦枠を介して取り付けられた新設扉の周囲を既設枠に設けられている止水部材により止水することが可能である。このため、既設枠に設けられていた既設扉と同様の止水性を確保することが可能である。
【符号の説明】
【００５２】
１  扉改装ユニット、２  既設枠、３  既設扉、１０  新設扉、
１０ａ  ラッチボルト、１０ｂ  ラッチ機構、１０ｃ新設扉の上端、
１１  戸先ユニット、１２  吊り元ユニット、１３  ヒンジ、
１４  戸先部材、１４ａ  戸先見込み板部、１４ｂ  戸先見付け板部、
１４ｃ  戸先部材の上端、１５  受け部材、１６  吊り元部材、
１６ａ  吊り元見込み板部、１６ｂ  吊り元見付け板部、２０  戸先側の既設縦枠、
２０ｆ  止水部材、２１  吊り元側の既設縦枠、２１ｆ  止水部材、２３  既設下枠、
【図１】
2020029697.tif 000003
【図２】
2020029697.tif 000004
【図３】
2020029697.tif 000005
【図４】
2020029697.tif 000006
【図５】
2020029697.tif 000007